【手続補正書】
【提出日】平成25年3月15日(2013.3.15)
【手続補正１】
【補正対象書類名】明細書
【補正対象項目名】０００９
【補正方法】変更
【補正の内容】
【０００９】
上記目的を達成する本発明は、
使用者の頭部に着脱自在に装着される表示ユニットと、
前記表示ユニットと有線または無線により接続される携帯ユニットと、を備える情報表示装置において、
前記携帯ユニットは、
使用者の行動状態を判別する行動状態判別部と、
前記行動状態判別部から取得した前記使用者の行動状態の判別結果に基づいて、前記表示ユニットに表示する情報の連続表示時間を制御する制御信号を生成する表示制御部と、
を有することを特徴とするものである。
【手続補正２】
【補正対象書類名】明細書
【補正対象項目名】００１４
【補正方法】変更
【補正の内容】
【００１４】
さらに、上記目的を達成する本発明は、
使用者の頭部に着脱自在に装着される表示ユニットと、
前記表示ユニットと有線または無線により接続される携帯ユニットと、を備える情報表示装置において、
前記携帯ユニットは、
使用者の行動状態を判別する行動状態判別部と、
前記行動状態判別部から取得した前記使用者の行動状態の判別結果に基づいて、前記表示ユニットへの情報表示の表示／非表示を制御する制御信号を生成する表示制御部と、
を有することを特徴とするものである。
【手続補正３】
【補正対象書類名】特許請求の範囲
【補正対象項目名】全文
【補正方法】変更
【補正の内容】
【特許請求の範囲】
【請求項１】
使用者の頭部に着脱自在に装着される表示ユニットと、
前記表示ユニットと有線または無線により接続される携帯ユニットと、を備える情報表示装置において、
前記携帯ユニットは、
使用者の行動状態を判別する行動状態判別部と、
前記行動状態判別部から取得した前記使用者の行動状態の判別結果に基づいて、前記表示ユニットに表示する情報の連続表示時間を制御する制御信号を生成する表示制御部と、
を有することを特徴とする情報表示装置。
【請求項２】
前記行動状態判別部は、前記使用者の歩行中／非歩行中を判別する、ことを特徴とする請求項１に記載の情報表示装置。
【請求項３】
前記表示制御部は、
歩行中及び非歩行中のそれぞれの連続表示時間の所定の設定値を格納するメモリと、
歩行中及び非歩行中のそれぞれの表示時間を計測するカウンタと、を備えることを特徴とする請求項２に記載の情報表示装置。
【請求項４】
前記メモリに格納される歩行中の連続表示時間の設定値は、前記メモリに格納される非歩行中の連続表示時間の設定値に比べ短い、ことを特徴とする請求項３に記載の情報表示装置。
【請求項５】
前記表示ユニットは、表示素子と、前記表示素子の駆動を制御する表示素子ドライブ部と、を備え、
前記表示素子ドライブ部は、前記表示制御部からの制御信号に基づき、前記表示素子の駆動を制御する、ことを特徴とする請求項１乃至４のいずれかに記載の情報表示装置。
【請求項６】
前記行動状態判別部は、加速度センサ、傾斜センサ、角速度センサ、振動センサ、脈拍センサ、位置センサの少なくとも一つのセンサを備え、該センサの出力に基づいて前記使用者の歩行中／非歩行中を判別する、ことを特徴とする請求項２乃至５のいずれかに記載の情報表示装置。
【請求項７】
使用者の頭部に着脱自在に装着される表示ユニットと、
前記表示ユニットと有線または無線により接続される携帯ユニットと、を備える情報表示装置において、
前記携帯ユニットは、
使用者の行動状態を判別する行動状態判別部と、
前記行動状態判別部から取得した前記使用者の行動状態の判別結果に基づいて、前記表示ユニットへの情報表示の表示／非表示を制御する制御信号を生成する表示制御部と、
を有することを特徴とする情報表示装置。
【請求項８】
前記行動状態判別部は、前記使用者の歩行中／非歩行中を判別する、ことを特徴とする請求項７に記載の情報表示装置。
【請求項９】
前記表示制御部は、前記使用者が歩行中であると判別された場合は前記表示ユニットの表示をＯＦＦにする制御信号を生成し、前記使用者が非歩行中であると判別された場合は前記表示ユニットの表示をＯＮにする制御信号を生成することを特徴とする請求項８に記載の情報表示装置。
【請求項１０】
前記行動状態判別部は、使用者の行動状態の判別結果を保存するメモリを備え、前記メモリの保存された前回の判別結果と現在の判別結果とを比較し、判別結果が異なる場合に、前記メモリに保存される判別結果の更新処理及び更新した行動状態の判別結果の前記表示制御部への通知処理を行うことを特徴とする請求項７乃至９のいずれかに記載の情報表示装置。
【請求項１１】
前記行動状態判別部は、加速度センサ、傾斜センサ、角速度センサ、振動センサ、脈拍センサ、位置センサの少なくとも一つのセンサを備え、該センサの出力に基づいて前記使用者の歩行中／非歩行中を判別する、ことを特徴とする請求項７乃至１０のいずれかに記載の情報表示装置。
【請求項１２】
使用者の頭部に着脱自在に装着される表示ユニットと、
前記表示ユニットと有線または無線により接続される携帯ユニットと、を備える情報表示装置において、
前記表示ユニットは、
使用者の行動状態を判別する行動状態判別部を有し、
前記携帯ユニットは、
前記行動状態判別部から取得した前記使用者の行動状態の判別結果に基づいて、前記表示ユニットに表示する情報の連続表示時間を制御する制御信号又は前記表示ユニットへの情報表示の表示／非表示を制御する制御信号を生成する表示制御部と、
を有することを特徴とする情報表示装置。
【請求項１３】
前記行動状態判別部は、前記使用者の歩行中／非歩行中を判別する、ことを特徴とする請求項１２に記載の情報表示装置。
【請求項１４】
前記表示制御部は、
歩行中及び非歩行中のそれぞれの連続表示時間の所定の設定値を格納するメモリと、
歩行中及び非歩行中のそれぞれの表示時間を計測するカウンタと、を備えることを特徴とする請求項１３に記載の情報表示装置。
【請求項１５】
前記メモリに格納される歩行中の連続表示時間の設定値は、前記メモリに格納される非歩行中の連続表示時間の設定値に比べ短い、ことを特徴とする請求項１４に記載の情報表示装置。
【請求項１６】
前記表示ユニットは、表示素子と、前記表示素子の駆動を制御する表示素子ドライブ部と、を備え、
前記表示素子ドライブ部は、前記表示制御部からの制御信号に基づき、前記表示素子の駆動を制御する、ことを特徴とする請求項１２乃至１５のいずれかに記載の情報表示装置。
【請求項１７】
前記表示制御部は、前記使用者が歩行中であると判別された場合は前記表示ユニットの表示をＯＦＦにする制御信号を生成し、前記使用者が非歩行中であると判別された場合は前記表示ユニットの表示をＯＮにする制御信号を生成する、ことを特徴とする請求項１３に記載の情報表示装置。
【請求項１８】
前記行動状態判別部は、使用者の行動状態の判別結果を保存するメモリを備え、前記メモリの保存された前回の判別結果と現在の判別結果とを比較し、判別結果が異なる場合に、前記メモリに保存される判別結果の更新処理及び更新した行動状態の判別結果の前記表示制御部への通知処理を行うことを特徴とする請求項１２乃至１７のいずれかに記載の情報表示装置。
【請求項１９】
前記行動状態判別部は、加速度センサ、傾斜センサ、角速度センサ、振動センサ、脈拍センサ、位置センサの少なくとも一つのセンサを備え、該センサの出力に基づいて前記使用者の歩行中／非歩行中を判別する、ことを特徴とする請求項１２乃至１８のいずれかに記載の情報表示装置。